(57)【要約】【課題】  カメラ等を支持する開閉可能な脚が付いた伸縮スタンドであり、脚の開閉が容易であるとともに、脚を閉じたときに一本の筒になるようにして携帯や保管に便利なものにする。【解決手段】  低位のポールに高位のポールを伸縮可能、かつ、任意の伸縮量で固定可能に収納した複数のポールからなる伸縮スタンドにおいて、最低位のポールに、外周に設けられたピンを中心に共に一定角度開く複数の脚を開閉可能に取り付けた脚取付けリングを摺動、固定可能に嵌合するとともに、脚を最低位のポールの外周に沿う断面を円弧に形成し、脚取付けリングを上方に移動させて脚を閉じて最低位のポールの外周に沿わせたとき、脚の下端を捕縛する捕縛リングを脚取付けリングの下方で最低位のポールに摺動可能に嵌合する。【選択図】  図２
2011231809.tif 000002
【特許請求の範囲】
【請求項１】
低位のポールに高位のポールを伸縮可能、かつ、任意の伸縮量で固定可能に収納した複数のポールからなる伸縮スタンドにおいて、最低位のポールに、外周に設けられたピンを中心に共に一定角度開く複数の脚を開閉可能に取り付けた脚取付けリングを摺動、固定可能に嵌合するとともに、脚を最低位のポールの外周に沿う断面を円弧に形成し、脚取付けリングを上方に移動させて脚を閉じて最低位のポールの外周に沿わせたとき、脚の下端を捕縛する捕縛リングを脚取付けリングの下方で最低位のポールに摺動可能に嵌合したことを特徴とする伸縮スタンド。
【請求項２】
低位のポールの上端に高位のポールの摺動、固定を可能にするロックナットが設けられている請求項１の伸縮スタンド。
【請求項３】
捕縛リングを上方に摺動させることで脚の基部が脚取付けリングに当たるまで脚を押し開く請求項１又は２の伸縮スタンド。
【請求項４】
脚の数が三本であり、開き角度が９０°に近い角度である請求項１〜３いずれかの伸縮スタンド。
【発明の詳細な説明】
【技術分野】
【０００１】
本発明は、カメラや照明といった器具を高さ調整可能に取り付ける伸縮スタンドに関するものである。
【背景技術】
【０００２】
この種の伸縮スタンドは、古くは器具の取付台に開閉可能に取り付けられた個別の三脚からなり、それぞれを開脚して高さを調節していた。したがって、操作が面倒であるとともに、三脚の上端に取り付けられた器具の取付台の姿勢（一般には水平）を出すのにも苦労していた。そこで、下記特許文献１には、スタンドを伸縮可能な一本のポールとし、このポールの下部に複数の脚を開閉可能に設けたものが提案されている。これにおいて、脚を閉じると、ポールと取付台とを取り囲むようになって器具やポールの保護シェルを形成するとともに、持ち運びに便利な一つの筒状になるとしている。
【０００３】
しかし、この先行例のものは、最低位のポールと脚との間にスナップバーである第一部材や第二部材、また、脚が開いた状態をロックするロック機構等を有しており、構造が非常に複雑で重いものになっている。さらに、脚を閉じたときにポールを取り囲むとしているが、閉じた状態を保持する機構は在来の機構でよいとされており（おそらくバンド等で括るものと思われる）、操作が面倒であるし、ロックを怠るといずれかの脚が不意に開いたりするおそれもある。
【０００４】
されに対して、下記特許文献２には、複数の脚の断面をポールに沿う部分円とし、脚を閉じたときには、脚の下端に形成された鍵形の石突きをポールの下部に形成された径大のリングの底面に沿わせて全体を一本の細いポールにするものが提案されている。しかし、この先行例では、脚は開脚側に弾性付勢するとしているから、石突きをリングの底面に沿わせて動かないようにするには、非常に緊い嵌め込みをする必要があって大きな力を要する。さらに、この先行例のものも、ポールと脚との間に支承杆と呼ばれるリンクを介在させる複雑な構造で重いものになっている。
【先行技術文献】
【特許文献】
【０００５】
【特許文献１】特開２００５−１４０３２７号公報
【特許文献２】実開平０５−０５０２９２号公報
【発明の概要】
【発明が解決しようとする課題】
【０００６】
本発明は、簡単な構造で操作も容易な軽量の伸縮スタンドを提供するとともに、脚を閉じたとき、脚同士を確実に捕縛できるようにしたものである。
【課題を解決するための手段】
【０００７】
以上の課題の下、本発明は、請求項１に記載した、低位のポールに高位のポールを伸縮可能、かつ、任意の伸縮量で固定可能に収納した複数のポールからなる伸縮スタンドにおいて、最低位のポールに、外周に設けられたピンを中心に共に一定角度開く複数の脚を開閉可能に取り付けた脚取付けリングを摺動可能に嵌合するとともに、脚を最低位のポールの外周に沿う断面を円弧に形成し、脚取付けリングを上方に移動させて脚を閉じて最低位のポールの外周に沿わせたとき、脚の下端を捕縛する捕縛リングを脚取付けリングの下方で最低位のポールに摺動可能に嵌合したことを特徴とする伸縮スタンドを提供したものである。
【０００８】
また、この伸縮スタンドにおいて、請求項２に記載した、低位のポールの上端に高位のポールの摺動、固定を可能にするロックナットが設けられている手段。請求項３に記載した、捕縛リングを上方に摺動させることで脚の基部が脚取付けリングに当たるまで脚を押し開く手段、請求項４に記載した、脚の数が三本であり、開き角度が９０°に近い角度である手段を提供する。
【発明の効果】
【０００９】
請求項１の発明によれば、最低位のポールと脚との間にはリンク等の部材を必要としないから、構造が簡単で軽量になる。また、脚は最低位のポールの外周に沿う円弧となっているから、脚を閉じて最低位のポールの外周に沿わせたときには一本の細い筒になるし、捕縛リングがその状態を保持するから、不意に脚が開いたりせず、安全である。請求項２の手段によれば、簡単な構造でポールの摺動、固定を可能にする。請求項３の手段によれば、脚の開き操作が簡単になるし、請求項４の手段によれば、脚はある程度丈夫なものになってポールを姿勢を安定させる。
【図面の簡単な説明】
【００１０】
【図１】伸縮スタンドを伸長した場合の斜視図である。
【図２】伸縮スタンドを縮短させた場合の斜視図である。
【図３】脚を開いたときのポールの一部断面図である。
【図４】図３のＡ−Ａ断面図である。
【図５】図３のＢ−Ｂ断面図である。
【図６】図３のＣ−Ｃ断面図である。
【発明を実施するための形態】
【００１１】
以下、本発明の実施の形態を図面を参照して説明するが、図１は伸縮スタンドを伸長した場合の斜視図、図２は伸縮スタンドを縮短させた場合の斜視図、図３は脚を開いたときのポールの一部断面図である。本例の伸縮スタンドは四本のポール１〜４からなる四段構成のものであり、それぞれ低位のポールの中に高位のポールを摺動可能、かつ、固定可能に収容したものである。なお、ポールの段数は上記した四段構成に限らないが、操作面からいえば、この程度がもっとも適する。
【００１２】
各ポール１〜４の摺動、固定を可能にするのは、低位のポール１〜３の上端に設けられたロックナット５〜７による。図４はロックナット５〜７とポール１〜４の関係を示す図３のＡ−Ａ断面図であるが、このロックナット５〜７は一種の一方向クラッチであり、低位側のポール１〜３の上端に周方向に幾つかのコロ５ａ〜７ａを配置して収納し、これを高位のポール２〜４の外周面に転動可能に収容したものである。そして、コロ５ａ〜７ａの外周面が当たるロックナット５〜７の内周面に一方向に回転させると、コロ５ａ〜７ａを締め付け、他方向に回転させると、緩める斜面（カム）５ｂ〜７ｂを形成したものである。
【００１３】
したがって、ロックナット５〜７又はポール１〜４を他方向に回転させておけばポール１〜４は自由に摺動し、一方向に回転させればポール１〜４は固定される。この場合、ロックナット５〜７の内周面はコロ５ａ〜７ａの上下の端面を抱いて抜け出さないようになっており、コロ５ａ〜７ａは低位のポール１〜３に窓１ａ〜３ａに形成してこの窓１ａ〜３ａの中に収容している。したがって、ロックナット５〜７はポール１〜３から外れることなく回転できるものになっている。さらに、高位のポール２〜４は低位のポール１〜３から外れないようになっている。本例では、高位のポール２〜４の下端に径大部１ｂ〜３ｂを形成し、この径大部１ｂ〜３ｂをコロ５ａ〜７ａの下端面に当てて抜け外れるのを防いでいる。
【００１４】
この場合、各ポール１〜４を伸長、縮短させるときを問わず、各ロックナット５〜７を個別に操作する必要はない（隣り合うポール１〜４だけを固定するときには、その分のロックロット５〜７だけを締め付けてもよい）。すなわち、各ポール１〜４をそれぞれ適当な長さに伸長し（一般には最大に伸長する場合が多い）、最高位のポール４と最低位のポール１を手で握ってロックナット５〜７が締まる方向に回転させると、すべてのロックナット５〜７が同時に締まって各ポール１〜４はその位置で固定される。また、各ポール１〜４を縮短させるときも同じである。
【００１５】
最低位のポール１にはこのポール１上を自由に摺動する脚取付けリング８が嵌合されており、脚取付けリング８は下部に脚取付部８ａを有している。図６はこれを示す図３のＣ−Ｃ断面図であるが、この脚取付部８ａの外周に複数（本例では三本）の脚９〜１１の上端を構成する基部９ａ〜１１ａが各々ピン１２で枢着されてそれぞれが開閉できるようになっている。
【００１６】
この場合の脚９〜１１は断面が最低位のポール１の外周に沿う円弧（部分円）になっており、閉じたときは、一本の筒になるようになっている。この形態は、全体が最低位のポール１とほぼ同じ長さの一本の筒体となるものであるから、携帯や収納に便利なものとなる。なお、脚９〜１１の数はこれに限らないが、強度面を考慮すると、この程度が最適である。ところで、ポール１〜４や脚９〜１１はある程度強度のあるものであればその材質は問わないが、アルミ材を使用すれば、軽量になる。
【００１７】
脚取付けリング８も最低位のポール１に対して摺動と固定が可能になっている。図５はこれを示す図３のＢ−Ｂ断面図であるが、上記した一方向クラックと同様なコロ８ｂとカム８ｃとから構成されている。したがって、脚取付けリング８はポール１の任意の位置で固定ができるようになっている。なお、上記したロックナット５〜７や脚取付けリング８の摺動、固定を切り替えるロック機構は上記した一方向クラッチタイプのものに限らず、ネジタイプのものであってもよい。
【００１８】
最低位のポール１には脚取付けリング８の下方に捕縛リング１３が摺動可能に嵌合されている。なお、捕縛リング１３は最低位のポール１の下端等に設けられたスナップリング等１４で抜け落ちを防いでいる。この捕縛リング１３は脚９〜１１を開く機能と、脚９〜１１を閉じたときにその状態を保持する役目を果たすものである。
【００１９】
前者の機能を果たすために、捕縛リング１３の外周は脚９〜１１のピン１２より外周側にあり、ポール１を引き上げて捕縛リング１３を上方に移動させると、基部９ａ〜１１ａに当たって脚９〜１１を押し開くようになっている。この場合、脚９〜１１を一杯に開かせると、その基部９ａ〜１１ａの外面（背面）は脚取付けリング８の下端に当たって一定角度以上開かないようになっている。これがスタンドとしての脚９〜１１の開き姿勢であり、このときの脚９〜１１の開き角度は適宜でよいが、一般的には９０°近くにするのがポール１〜４の姿勢の安定性から好ましい。
【００２０】
捕縛リング１３の後者の機能を果たすために、その上端の内周には閉じた脚９〜１１の径よりも大きな径のポケット１５が形成されている。この場合、捕縛リング１３をストップリング等１４まで下げたときには、その上端は閉じられた脚９〜１１の下端よりも下がっている必要がある。脚９〜１１を閉じてこの状態を捕縛リング１３で保持するには、ポケット１５に脚９〜１１の下端を収納するように捕縛リング１３を上げ（これもポール１で引き上げればよい）、脚取付けリング８を回転させてロックしておけばよい。この他、最高位のポール４の上端には、カメラや照明といった器具１６を取り付けることができる取付台１７が設けられている。
【００２１】
次に、以上の構成の伸縮スタンドの使用方法について説明すると、まず、使用するに際しては、各ポール１〜４を必要なだけ伸長させる。このとき、脚取付けリング８を手で押えてポール１を引き上げれば、捕縛リング１３は脚９〜１１に当たってこれを開かせる。脚９〜１１が所定角度（普通は一杯）まで開いた時点で脚取付けリング８をロックすれば、脚９〜１１はその姿勢を保つから、最高位のポール４と最低位のポール１を手で握って一方向に回転させれば、各ポール１〜４はロックされ、これを立てればスタンドとなる。最後に取付台１７に器具１６を取り付ける。なお、以上の操作の順はこれに限らないし、器具１６は取り付けたままにしておいてもよい。なお、脚取付けリング８のロックを解いておけば、ポール１は自由に落下して接地し、より安定性の強いものになる。
【００２２】
伸縮スタンドを畳むときには上記と逆の操作をする。すなわち、最高位のポール４と最低位のポール１を手で握って他方向に回転させれば、全部のロックナット５〜７は緩む。したがって、各ポール１〜４を縮短させればよいが、このとき、脚取付けリング８のロックも解いて脚取付けリング８を最低位のポール１のロックナット５まで移動させておく。次いで、脚９〜１１を閉じて最低位のポール１の外周に沿わせ、捕縛リング１３を上昇させて（最低位のポール１を引き上げればよい）そのポケット１５に脚９〜１１の下端を取り込み、脚取付けリング８をロックすれば、この状態を保持できる。
【符号の説明】
【００２３】
１      ポール
１ａ    窓
１ｂ    径大部
２      ポール
２ａ    窓
２ｂ    径大部
３      ポール
３ａ    窓
３ｂ    径大部
４      ポール
４ａ    窓
４ｂ    径大部
５      ロックナット
５ａ    コロ
５ｂ    カム（斜面）
６      ロックナット
６ａ    コロ
６ｂ    カム（斜面）
７      ロックナット
７ａ    コロ
７ｂ    カム（斜面）
８      脚取付けリング
８ａ    脚取付部
８ｂ    コロ
８ｃ    カム（斜面）
９      脚
９ａ    基部
１０    脚
１０ａ  基部
１１    脚
１１ａ  基部
１２    ピン
１３    捕縛リング
１４    スナップリング
１５    ポケット
１６    器具
１７    取付台
【図１】
2011231809.tif 000003
【図２】
2011231809.tif 000004
【図３】
2011231809.tif 000005
【図４】
2011231809.tif 000006
【図５】
2011231809.tif 000007
【図６】
2011231809.tif 000008